(57)【要約】  実用車に用いられるリジッドアクスルであって、１つの共通の平面に１つの三角形を形成する２つの個々のシャーシステー１，２が設けられており、該シャーシステー，２の端部でそれぞれ１つのジョイント３，４，５，６が、一方では車両上部構造７に、他方では車軸８にそれぞれ結合されている形式のものにおいて、本発明の構成では、少なくとも車軸側でシャーシステー１，２に、該シャーシステーを車軸８に結合するためのそれぞれ１つのアキシャルスタッド９が挿入されている。
2010517870.tif 000002
【特許請求の範囲】
【請求項１】
実用車に用いられるリジッドアクスルであって、１つの共通の平面に１つの三角形を形成する２つの個々のシャーシステー（１，２）が設けられており、該シャーシステー（１，２）の端部でそれぞれ１つのジョイント（３，４，５，６）が、一方では車両上部構造（７）に、他方では車軸（８）にそれぞれ結合されている形式のものにおいて、少なくとも車軸側でシャーシステー（１，２）に、該シャーシステー（１，２）を車軸（８）に結合するためのそれぞれ１つのアキシャルスタッド（９）が挿入されていることを特徴とする、実用車に用いられるリジッドアクスル。
【請求項２】
シャーシステー（１，２）のジオメトリ的な長手方向中心軸線（１０）の交点（ＳＬ）が、そのニュートラル位置で、車軸（８）のジオメトリ的な車軸中心点（ＭＡ）もしくは車軸（８）の中心線（１１）のすぐ近くに位置している、請求項１記載のリジッドアクスル。
【請求項３】
シャーシステー（１，２）のジオメトリ的な長手方向中心軸線（１０）の交点（ＳＬ）が、そのニュートラル位置で、車軸（８）のジオメトリ的な車軸中心点（ＭＡ）もしくは車軸（８）の中心線（１１）の鉛直方向上方に位置している、請求項１記載のリジッドアクスル。
【請求項４】
アキシャルスタッド（９）と共に形成されたアキシャルジョイント（３，４）のアキシャルスタッド（９）のジョイントボールの中心点（ＭＧ）が、鉛直方向で車軸（８）のジオメトリ的な中心線（１１）に沿って延びる１つの平面に位置している、請求項１記載のリジッドアクスル。
【請求項５】
一緒になってジオメトリ的な三角形を形成する前記シャーシステー（１，２）が、互いに４５〜６０゜の角度を成している、請求項１から４までのいずれか１項記載のリジッドアクスル。
【請求項６】
シャーシステー（１，２）が、全体的に鋳造から製造された１つのロッド状体（１２）を有しており、該ロッド状体（１２）が、少なくともその一方の端部に形成されたジョイントハウジング（１３，１４）を備えている、請求項１から５までのいずれか１項記載のリジッドアクスル。
【請求項７】
アキシャルスタッド（９）が、シャーシステー（１，２）の、ジョイントハウジング（１３）として形成された部分に直接に挿入されている、請求項６記載のリジッドアクスル。
【請求項８】
ジョイントハウジング（１３）内に、アキシャルスタッド（９）のジョイントボール（１５）を収容するためのプラスチックまたは金属から成る少なくとも１つの支承シェルが挿入されている、請求項６記載のリジッドアクスル。
【請求項９】
ジョイントハウジング（１３）内に、エラストマ材料から成る少なくとも１つの減衰エレメント（１６）が挿入されている、請求項６または７記載のリジッドアクスル。
【請求項１０】
ジョイントハウジング（１３）または支承シェル内に、少なくとも１つの滑り層が設けられている、請求項６から８までのいずれか１項記載のリジッドアクスル。
【請求項１１】
三角形リングを形成する前記シャーシステー（１，２）も、該シャーシステー（１，２）の高さ位置とは異なる高さ位置で一方では車軸（８）に、他方では車両上部構造（７）にそれぞれ取り付けられたトレーリングアーム（１７，１８）も、アキシャルジョイント（１９，２０）として形成されたジョイントを介して車軸（８）に取り付けられている、請求項１から１０までのいずれか１項記載のリジッドアクスル。
【発明の詳細な説明】
【技術分野】
【０００１】
本発明は、請求項１の上位概念部に記載の形式の、実用車に用いられるリジッドアクスル、すなわち１つの共通の平面に１つの三角形を形成する２つの個々のシャーシステーが設けられており、該シャーシステーの端部でそれぞれ１つのジョイントが、一方では車両上部構造に、他方では車軸にそれぞれ結合されている形式のものに関する。
【０００２】
実用車に用いられるこのような形式のリジッドアクスルは、そのニュートラル位置で１つの共通の平面内に１つの三角形を形成する２つの個々のシャーシブレースもしくはシャーシステー（Fahrwerksstrebe）を備えており、これらのシャーシステーの端部には、それぞれ１つのジョイントが、一方では車両上部構造に、他方では車軸にそれぞれ結合されている。このようなリジッドアクスルは、たとえばドイツ連邦共和国特許出願公開第４３３８６５１号明細書、ドイツ連邦共和国特許出願公開第１０１１８６２３号明細書または米国特許第５４５８３５９号明細書に基づき公知である。さらに、ドイツ連邦共和国特許出願公開第１０３４８６４５号明細書に基づき、シャーシステーが知られている。このシャーシステーは一方ではアキシャルジョイントを有しており、このアキシャルジョイントの接続スタッドはシャーシステーの長手方向中心軸線に対して同軸的に向けられている。このシャーシステーはこのアキシャルジョイントとは反対の側に分子継手もしくはモレキュラジョイント（Molekulargelenk）または分子軸受けもしくはモレキュラベアリング（Molekularlager）を有している。「モレキュラジョイント」または「モレキュラベアリング」は同義語であると解される。このようなモレキュラジョイントまたはモレキュラベアリングは、ハウジングの内部に支承されたジョイントスタッドを有している。このジョイントスタッドはハウジング内でエラストマ体によって取り囲まれている。モレキュラジョイントまたはモレキュラベアリングにおいて特徴的であるのはその特性、すなわちジョイントスタッドまたはシャーシステーを介して導入された運動をエラストマ体によって減衰する特性であり、これにより「モレキュラベアリング」という呼称が妥当となる。しかし、モレキュラベアリングまたはモレキュラジョイントはエラストマ体を介して互いに結合された構成部分の相対運動をも可能にするので、「モレキュラジョイント」と呼ぶこともできる。エラストマ体は加硫によってハウジングおよび／またはジョイントスタッドに結合されていてよい。さらに、エラストマ体がハウジングおよび／またはジョイントスタッドとの固着結合を有しないような構成も知られている。このようなモレキュラジョイントはその減衰特性および振動遮断特性に基づき、自動車のホイールサスペンションにおいて多種多様の変化形の形で使用される。
【０００３】
上記ドイツ連邦共和国特許出願公開第１０３４８６４５号明細書に開示されているシャーシステーは実用車の車軸と車両上部構造との間の長手方向リンク、すなわちトレーリングアームとして使用される。この場合、アキシャルジョイントは車両上部構造に取り付けられている。従来公知の汎用の、リジッドアクスルを案内するためのアクスルコンセプトはアクスル側に、すなわち車軸側にモレキュラジョイントを有しており、このモレキュラジョイントではジョイントスタッドが、シャーシステーの長手方向中心軸線に対して直交する横方向に向けられている。しかし、このようなアクスルコンセプトは車軸の範囲にかなりの構成スペースを必要とする。さらに、シャーシステーのモレキュラジョイントがリジッドアクスルのジオメトリ的（幾何学的）なアクスル中心点に対して間隔を置いて組み付けられることに基づき、シャーシステーにモーメントが発生し、このモーメントは走行運転中に補償されなければならない。その上、最も頻繁に使用されるシャーシステーは両側にモレキュラジョイントを有しており、このことはその製造を全体的に面倒でかつコストのかかるものにしている。
【０００４】
本発明の根底を成す課題は、シャーシステーが小さな構成高さを可能にすると同時に製造が簡単でかつ廉価となるような、実用車に用いられるリジッドアクスルを提供することである。
【０００５】
この課題は本発明によれば、請求項１の特徴部に記載の特徴、すなわち少なくとも車軸側でシャーシステーに、該シャーシステーを車軸に結合するためのそれぞれ１つのアキシャルスタッドが挿入されていることにより解決される。
【０００６】
本発明の別の構成は請求項２以下に記載されている。
【０００７】
１つの共通の平面に１つの三角形を形成する２つの個々のシャーシステーが設けられており、該シャーシステーの端部でそれぞれ１つのジョイントが、一方では車両上部構造に、他方では車軸にそれぞれ結合されている形式の、実用車に用いられるリジッドアクスルは、本発明によれば、少なくとも車軸側でシャーシステーに、該シャーシステーを車軸に結合するためのそれぞれ１つのアキシャルスタッドが挿入されているように改良される。
【０００８】
本発明のこのような解決手段の特別な利点は次の点に認められる。すなわち、車軸とシャーシステーとを結合するためのモレキュラジョイントを用いた解決手段の場合にそうであるよりも小さな構成スペースしか必要とならない。シャーシステーを車軸に結合するために必要となるフランジは、同じくその構成高さの点で低減され得る。それどころか、シャーシステーのための取付け点を直接に車軸に組み込むことが可能となる。このような構成はモレキュラジョイントを用いた場合には実現不可能である。車軸の範囲における構成高さの低減により、本発明による解決手段を用いると、たとえば車両を全体的に低く設置することが可能となる。さらに、リジッドアクスルのための本発明によるシャーシステーの単純化に基づき、種々異なる使用事例のために単一の構成部分および構成アッセンブリを使用することができる。これによって、少数の規格構成部分の実現を可能にする組立てキッドシステムを提供することができる。したがって、著しい単純化と共に、決定的なコスト利点も得られる。
【０００９】
本発明の第１の実施態様では、シャーシステーの幾何学的な、すなわちジオメトリ的な長手方向中心軸線の交点が、そのニュートラル位置において、車軸の幾何学的な、すなわちジオメトリ的な車軸中心点もしくは車軸の中心線のすぐ近くに位置している。リジッドアクスルへの本発明によるシャーシステーの結合のこのような構成に基づき、自動車の運転時のシャーシサスペンションの構成部分における不都合なモーメントを回避するか、または少なくとも決定的に減少させることができる。このことは、シャーシステーの機械的な負荷が全体的に減じられることを意味する。この場合、シャーシステーの結合部をできるだけ車軸中心点の近くもしくは車軸の中心線の近くに設けるという思想が採用される。車両長手方向においてこの交点の少しだけ手前または少しだけ背後に設置された配置もこれに属するものと解釈され得る。
【００１０】
シャーシステーのジオメトリ的な長手方向中心軸線の交点が、そのニュートラル位置において、車軸のジオメトリ的な車軸中心点もしくは車軸の中心線の鉛直方向上方に位置していると、ジオメトリ的な長手方向中心軸線の交点と関連して前で既に述べた利点と同じ利点を達成することができる。上に挙げたこれらの構成を用いると、それぞれシャーシステーの構成位置および特にその車軸側のジョイントの取付けが車軸の車軸中心点もしくは中心線のできるだけ近傍へ近付けられる。
【００１１】
本発明の別の有利な実施態様では、シャーシステーのアキシャルスタッドと共に形成されたアキシャルジョイントのアキシャルスタッドのジョイントボールの中心点が、鉛直方向で車軸のジオメトリ的な中心線を通って延びる１つの平面に位置している。このような構成では、シャーシステーの長手方向中心軸線のジオメトリ的な交点が、たしかに自動車のリジッドアクスルの背後に配置されているが、しかしこの場合には、ピッチング運動、すなわち車両横方向軸線を中心とした車両上部構造の旋回を十分に阻止することができるか、または少なくとも顕著に減少させることができるという利点が得られる。さらに前記解決手段提案の範囲にある別の実施態様では、アキシャルスタッドのジョイントボールの中心点が、鉛直方向で車軸のジオメトリ的な中心線を通って延びる平面に対して小さな間隔を有していてよい。
【００１２】
一緒になって幾何学的な三角形を形成する前記シャーシステーが、互いに４５〜６０゜の角度を成していると有利である。シャーシステーの互いに相対的な配置のこの範囲では、シャーシステーが１つの三角形リンクを形成している。この三角形リンクは実用車のリジッドアクスルの最適な長手方向支持をも横方向支持をも可能にする。このようなアクスルガイドを用いると、手間のかかる付加的な構成部分、たとえばパナールロッドを節約することができる。
【００１３】
実用車に用いられる本発明によるリジッドアクスル全体のアクスルガイドの単純化に関しては、本発明の極めて有利な改良形ではさらに、シャーシステーが、全体的に鋳造から製造された１つの棒状体またはロッド状体を有しており、該棒状体またはロッド状体が、少なくともその一方の端部に形成されたジョイントハウジングを備えていることが提案される。このようなシャーシステーの製作は公知の鍛造構成に比べて決定的に単純化されている。さらに、本発明のこのような構成により、個別構成部分の点数を相応して減少させることができる。特に有利には、鋳造体のためには、球状黒鉛鋳物が適している。すなわち、この材料は最適な強度と共に潤滑特性をも有しているので、これによってシャーシステーの棒状体またはロッド状体に直接にジョイントハウジングを一体成形することが可能となる。
【００１４】
この思想に従って、さらに、アキシャルスタッドが、シャーシステーの、ジョイントハウジングとして形成された部分に直接に挿入されていることが提案される。これによって、アキシャルスタッドは直接にジョイントハウジング内にも支承されている。この場合、既に述べた球状黒鉛の特性が、支承個所の潤滑を、制限された規模で可能にするための重要な役割を果たす。これによって、アキシャルスタッドの極めて丈夫でかつ単純に形成された支承部を提供することができる。この支承部はさらに極端に摩擦が少なく形成されている。
【００１５】
しかし、本発明によるリジッドアクスルのシャーシステーに課せられた要求に応じて、ジョイントハウジング内に、アキシャルスタッドのジョイントボールを収容するためのプラスチックまたは金属から成る少なくとも１つの支承シェルを挿入することが望ましくなるか、または必要となる場合もある。
【００１６】
さらに、アキシャルスタッドがシャーシステーのジョイントハウジング内に直接に支承されている場合にも、アキシャルスタッドが支承シェル内部に支承されている場合にも、付加的にジョイントハウジング内に少なくとも１つの減衰エレメントを導入することが可能である。有利にはエラストマ材料、たとえばゴムから成っている前記減衰エレメントは、このようなシャーシステーの互いに相対的に運動可能な個別構成部分の振動を吸収するために適している。
【００１７】
前で挙げたアキシャルスタッド支承の実施態様はそれぞれさらに、ジョイントハウジングまたは支承シェル内に設けられた滑り層によってその摩擦特性の点で改善され得る。
【００１８】
本発明のさらに別の思想は、三角形リングを形成する前記シャーシステーも、該シャーシステーの高さ位置とは異なる高さ位置で一方では車軸に、他方では車両上部構造にそれぞれ取り付けられた付加的な長手方向リンクもしくはトレーリングアームも、アキシャルジョイントとして形成された各１つのジョイントを介して車軸に取り付けられていることにある。これによって、本発明の原理は、三角形リンク配置形式のシャーシステーの冒頭で説明した構成のためだけに使用され得るのではなく、実用車のリジッドアクスルを案内するための別のリンクにも転用可能となる。
【００１９】
シャーシステーに設けられた各１つのアキシャルジョイントを有する前記構成の他に、シャーシステーの両側にそれぞれ１つのアキシャルジョイントが設けられているような解決手段も本発明の枠内にある。
【００２０】
以下に、本発明の実施例を図面につき詳しく説明する。ただし本発明は図示の実施例に限定されるものではなく、図示の実施例は本発明の原理を説明するために役立つに過ぎない。図面中、同一の構成部分または同種類の構成部分は同じ符号で示されている。本発明の機能形式を分かり易くするために、図面には、本発明のために重要ではない構成部分の図示を省略した、極めて簡素化された原理図が示されている。しかし、このことは、これらの省略された構成部分が本発明による解決手段において存在していないことを意味するものではない。
【図面の簡単な説明】
【００２１】
【図１】実用車に用いられるリジッドアクスルを上から見た平面図である。
【図２】図１に示したリジッドアクスルを図１の矢印ＩＩの方向で見た図である。
【図３】リジッドアクスルを図２の矢印ＩＩＩの方向で見た、つまり車両の下側から見た図である。
【図４】本発明によるリジッドアクスルにおけるシャーシステーの配置の第１の実施態様を示す概略図である。
【図５】本発明によるリジッドアクスルにおけるシャーシステーの配置の第２の実施態様を示す概略図である。
【図６】本発明によるリジッドアクスルにおける使用のためのシャーシステーの個別部分を示す断面図である。
【００２２】
図１には、リジッドアクスルを車両上側から、すなわち上方から見た図が示されている。このリジッドアクスルは、一緒になって１つの共通の平面に１つの三角形を描くように張設された２つのシャーシステー１，２を有している。シャーシステー１，２はそれぞれその両端部に各１つのジョイントを有している。図１には、シャーシステー１，２のアクスル側、つまり車軸側のジョイント３，４が示されている。シャーシステー１，２の、車両上部構造７に組み付けられた、反対の側に位置するジョイント５，６はこの図面では見えていない。車両上部構造７はこの場合、それ自体閉じたフレーム（シャーシ）して形成されている。シャーシステー１，２のジョイント３，４のアキシャルスタッドは、車軸８に組み付けられたフランジ内にねじ込まれている。シャーシステー１，２の取付け部とは異なる高さ位置において、車軸８の下方にはさらに２つの長手方向リンクもしくはトレーリングアーム１７，１８が組み付けられている。これらのトレーリングアーム１７，１８は一方では車軸８に、他方では車両上部構造７にそれぞれ結合されている。さらに、ローリング運動を補償するために、スタビライザ２１が働く。
【００２３】
互いに異なる高さ位置で行われた、車軸８におけるシャーシステー１，２ならびにトレーリングアーム１７，１８の取付けは、図２に示した図面から判る。図２にはさらに矢印Ｉが書き込まれており、図１はリジッドアクスルをこの矢印Ｉの方向で見た図である。図２に見えているシャーシステー１のアキシャルジョイント３は、車軸８に固定されたフランジ内に直接にねじ込まれている。シャーシステー１の反対の側は分子継手もしくはモレキュラジョイント５を有している。このモレキュラジョイント５は車両上部構造７に結合されている。図２に示したリジッドアクスルの走行特性を改善するために、このリジッドアクスルはさらにショックアブソーバ２６を有している。さらに、車軸８の下方にはスタビライザ２１が車軸８に沿って案内されている。このスタビライザ２１は結合リンク２２とホルダ２４とによって車両上部構造７に結合されている。図示の実施例では、トレーリングアーム１７が車軸８の下方でアクスル側に同じくアキシャルジョイント１９を有している。このアキシャルジョイント１９は車軸８に設けられた適当なフランジ内にねじ込まれている。トレーリングアーム１７はアキシャルジョイント１９とは反対の側には分子継手もしくはモレキュラジョイント（図示しない）を有している。
【００２４】
図３に示したリジッドアクスルの概略図は、図２の矢印ＩＩＩの方向で見た図に相当している。図３からは再びスタビライザ２１の配置が判る。スタビライザ２１はシャーシとして形成された車両上部構造７の、車両方向で見て左側の部分と右側の部分とを互いに結合している。スタビライザ２１により、たとえばカーブ通過時に生じるような車軸のねじれが補償される。図３からさらに判るように、トレーリングアーム１７，１８は各１つのアキシャルジョイント１９；２０を介して車軸８に設けられた各１つのフランジに取り付けられている。トレーリングアーム１７，１８は車軸８の下方に組み付けられており、シャーシステー１，２は車軸８の上方に組み付けられているので、図３に示した図では、シャーシステー１，２は完全には見えていない。
【００２５】
図４には、車軸８におけるシャーシステー１の第１の可能な配置が示されている。シャーシステー１はこの場合、ジョイント３を有しており、このジョイント３はアキシャルジョイントとして形成されている。アキシャルジョイント３とは反対の側では、シャーシステー１はモレキュラジョイント５を有している。シャーシステー１のアキシャルジョイント３のアキシャルスタッド９はその変位されていない位置では、シャーシステー１の長手方向中心軸線１０に対して同軸的に延びる長手方向中心軸線を有している。しかし、アキシャルスタッド９はそのニュートラルな組込み位置において、シャーシステー１の長手方向中心軸線１０に対して角度を持って配置されていてもよい。
【００２６】
図４に示したシャーシステー１の取付けの特別な点は次のことにある。すなわち、この場合、車軸８に設けられたフランジ２８におけるアキシャルスタッド９の取付けは、車軸中心点ＭＡの上方におけるシャーシステー１の長手方向中心軸線１０の延長線が車軸８の中心線１１との交点ＳＬを有するように行われる。
【００２７】
車軸８におけるシャーシステー１のこのような取付けに基づき、シャーシステー１を介して車軸の最適な案内が達成されるが、このことは、図５に示した車軸８におけるシャーシステー１の取付けの別の変化実施例を用いても可能である。この場合、シャーシステー１は、ボールスタッドとして形成されたアキシャルスタッド９のジョイントボール中心点ＭＧが直接に車軸８の中心線１１と合致して、１つの共通の平面への投影図で見てジオメトリ的な車軸中心点ＭＡのすぐ近くに位置するように車軸８に取り付けられる。アキシャルスタッド９はやはり車軸８のフランジ２８に取り付けられる。図４および図５には、シャーシステー１，２の拡開された配置を表すために、有利には４５〜６０゜である角度αが書き込まれている。本実施例ではα＝５０゜である。簡単化の理由から、図４および図５には、対称的に配置された両シャーシステー１，２のうちのそれぞれ一方しか図示されていない。
【００２８】
図６には、本発明によるリジッドアクスルにおける使用のためのシャーシステー１の特に有利な変化実施例の可能な構造が示されている。この場合に注目すべき点は、シャーシステー１が全体的に単一部分から成る鋳造構成部分から成っていることである。このためには材料として球状黒鉛材料が使用される。シャーシステー１の端部には、ロッド状体１２に続いてそれぞれジョイントハウジング１３；１４が一体成形されている。したがって、ロッド状体１２とジョイントハウジング１３，１４とから成るシャーシステー１はワンピースの一体の構成部分として１回の鋳造で製造され得る。図６に断面図で簡略化されて図示されたシャーシステー１を例にとって、ジョイント３，５の構造について詳しく説明する。ジョイント３はアキシャルジョイントとして形成されている。このアキシャルジョイントはアキシャルスタッド９を有している。ジョイントボール１５を有するこのアキシャルスタッド９はジョイントボール１５と共にシャーシステー１のジョイントハウジング１３に設けられた適当な切欠き内に直接に挿入されているので、この場合、支承シェルが不要となっている。振動を減衰しかつ弾性的な特性を改善するためには、ジョイントハウジング１３に切欠きが設けられていて、この切欠き内に減衰エレメント１６が嵌め込まれている。ジョイントハウジング１３のハウジング開口を閉鎖するためには、閉鎖リング２９が役立つ。この閉鎖リング２９の内周面は直接にジョイントボール１５に当て付けられるので、やはりジョイントボール１５のための金属製の受けを形成する。閉鎖リング２９の、ジョイントボール１５とは反対の側は肩部を有しており、この肩部にはジョイントハウジング１３に設けられた変形加工区分３０が当て付けられる。この変形加工区分３０の変形加工はボールジョイント構成部分の組付け後に行われる。しかし、閉鎖リング２９を別の手段でジョイントハウジング１３内に位置固定することもできる。その例としては、たとえば螺合が挙げられる。さらに閉鎖リング２９の外周面には、ジョイントハウジング１３の外部で溝が設けられており、この溝は内部のジョイント構成部分をシールするシールベローズ３１の第１の縁部を当て付けるために働く。シールベローズ３１の第２の縁部は直接にアキシャルスタッド９に接触している。シールベローズ３１の両縁区分は位置固定およびシール作用の改善のために、緊締リング（図示しない）を用いて前記構成部分に位置固定されている。アキシャルスタッド９を車軸８に設けられた接続フランジ２８に結合するためには、アキシャルスタッド９の端部側が接続ねじ山３２を有している。アキシャルジョイント３とは反対の側においてシャーシステー１にはモレキュラジョイント５が設けられている。このモレキュラジョイント５は、ほぼ円筒状のジョイントハウジング１４により特徴付けられている。ジョイントハウジング１４に加工成形された貫通孔内には、エラストマ体３３が挿入されている。本実施例では多層でかつ支持特性の改善のための中間層を備えている前記エラストマ体３３は、接続スタッド３４を収容している。この接続スタッド３４はこの場合、円筒状スタッドとして形成されている。図示のモレキュラジョイントにおいて重要となるのは、接続スタッド３４が、シャーシステー１の長手方向中心軸線１０に対して直交する横方向に延びる長手方向中心軸線を有していることである。このことは、モレキュラジョイントおよび該モレキュラジョイントの、車軸もしくは車両上部構造における取付け部のために特徴的である。
【符号の説明】
【００２９】
１  シャーシステー
２  シャーシステー
３  ジョイント
４  ジョイント
５  ジョイント
６  ジョイント
７  車両上部構造（シャーシ）
８  車軸
９  アキシャルスタッド
１０  シャーシステーの長手方向中心軸線
１１  車軸の中心線
１２  ロッド状体
１３  ジョイントハウジング
１４  ジョイントハウジング
１５  ジョイントボール
１６  減衰エレメント
１７  トレーリングアーム
１８  トレーリングアーム
１９  アキシャルジョイント
２０  アキシャルジョイント
２１  スタビライザ
２２  結合リンク
２３  結合リンク
２４  ホルダ
２５  ホルダ
２６  ショックアブソーバ
２７  ショックアブソーバ
２８  フランジ
２９  閉鎖リング
３０  変形加工区分
３１  シールベローズ
３２  接続ねじ山
３３  エラストマ体
３４  接続スタッド
【図１】
2010517870.tif 000003
【図２】
2010517870.tif 000004
【図３】
2010517870.tif 000005
【図４】
2010517870.tif 000006
【図５】
2010517870.tif 000007
【図６】
2010517870.tif 000008
【国際調査報告】
2010517870.tif 000009
2010517870.tif 000010
2010517870.tif 000011
2010517870.tif 000012
2010517870.tif 000013
2010517870.tif 000014